(57)【要約】【課題】  料理の品数等、サービス内容が増えても、作成を簡単、容易に、且つ低コストででき、またメニューの数を増やすことなく、見易く、分かり易く表示できるようにする。【解決手段】  周囲を凸段差状の枠部１に形成すると共に、この枠部１で囲まれる箇所を透明の面状部２に形成して背中合わせに固定する複数種類の接合部材３と、この接合部材３の面状部２にサービス内容を表示するため周囲を枠部１に至って枠部１と面状部２に挟まれるサービス内容表示用のプレート４とで形成する。接合部材３を、面状部２に仕切り８が設けられている複数種類の仕切りタイプと、仕切り８のない無仕切りタイプとに形成する。背中合わせに固定する接合部材３の組み合わせを変更して使用する。【選択図】        図１
2009080235.tif 000002
【特許請求の範囲】
【請求項１】
周囲が凸段差状の枠部に形成されると共に、この枠部で囲まれる箇所が透明の面状部に形成されて背中合わせに固定される複数種類の接合部材と、この接合部材の面状部にサービス内容を表示するため周囲が枠部に至って枠部と面状部に挟まれるサービス内容表示用のプレートとを備え、上記の接合部材が、面状部に仕切りが設けられている複数種類の仕切りタイプと、仕切りのない無仕切りタイプとに形成され、背中合わせに固定する接合部材の組み合わせが変更自在に形成されていることを特徴とするリバーシブル形式のメニュー。
【請求項２】
請求項１記載のリバーシブル形式のメニューであって、背中合わせに固定される一対の接合部材の周縁部に挟み込まれる連結用部材を備え、この連結用部材を介して一対の接合部材同士が連結自在に形成されていることを特徴とするリバーシブル形式のメニュー。
【請求項３】
請求項２記載のリバーシブル形式のメニューであって、連結用部材が、一対の接合部材の周縁部に嵌合する嵌合部を両側に備え、この嵌合部の間の連結部が柔軟質に形成されていることを特徴とするリバーシブル形式のメニュー。
【請求項４】
請求項１乃至３の何れかに記載のリバーシブル形式のメニューであって、接合部材が方形状に形成され、四隅に固定用のネジ孔が設けられていることを特徴とするリバーシブル形式のメニュー。
【発明の詳細な説明】
【技術分野】
【０００１】
本発明は、リバーシブル形式のメニューに関し、更に詳しくは例えば飲食店、マッサージ店、美容室、理容室、クリーニング店、その他の接客業者が提供するサービス内容を、表裏に表示できるよう形成したリバーシブル形式のメニューに関するものである。
【背景技術】
【０００２】
従来この種のメニューとしては、例えばシート状の第１のメニューと、この第１のメニューで選択した色彩に対応した見出し部が形成されている小冊子状の第２のメニューとで形成されているものがある（例えば特許文献１参照）。
【０００３】
ところで、例えば飲食店では、日替わり、週替わり等で異なる料理を提供したり、或いは季節に合わせて旬の食材を使用した料理を提供することが多い。
従ってメニューは、この種の逐次変更、更新される料理に柔軟に対応できるよう形成されているのが望ましい。
しかるに従来品は、例えば日替わりランチ等のメニューを更新したり、追加する場合は、その他の各種の料理と一緒に全体を作り直したり、或いは既存のメニューとは別個に、２冊目のメニューを作ることが多かった。
従って従来品によると、追加料理等のメニューの作成が不便で、コストがかかり易い、という問題点があった。また従来は、メニューの数が増えて取扱いが不便になっただけではなく、新メニュー、追加メニューを、客にわかり易く、見易く表示することが難しいのが実情であった。
【特許文献１】特開平７−１２９０８６号公報
【発明の開示】
【発明が解決しようとする課題】
【０００４】
本発明は、このような従来の実情に鑑み、提案されたものである。
従って本発明の解決しようとする技術的課題は、例えば料理の品数等、サービス内容が増えても、作成を簡単、容易に、且つ低コストででき、またメニューの数を増やすことなく、見易く、分かり易く表示できるよう形成したリバーシブル形式のメニューを提供することにある。
【課題を解決するための手段】
【０００５】
本発明は、上記の課題を解決するため、次のような技術的手段を採る。
即ち本発明は、図１等に示されるように、周囲が凸段差状の枠部１に形成されると共に、この枠部１で囲まれる箇所が透明の面状部２に形成されて背中合わせに固定される複数種類の接合部材３と、この接合部材３の面状部２にサービス内容を表示するため周囲が枠部１に至って枠部１と面状部２に挟まれるサービス内容表示用のプレート４とを備え、上記の接合部材３が、面状部２に仕切り８が設けられている複数種類の仕切りタイプと、仕切り８のない無仕切りタイプとに形成され、背中合わせに固定する接合部材３の組み合わせが変更自在に形成されていることを特徴とする（請求項１）。
【０００６】
本発明の場合、接合部材３は、通常、方形状に形成されるが、その他例えば環状等でも良く、その形状は任意である。接合部材３と面状部２は、樹脂材で一体状に形成されるのが好ましいが、別個に形成されて接着等の手段で結合されるのでも良い。
またここで、サービス内容とは、接客業者が、通常、客に示す業務内容や料金や時間等を意味し、具体的には、例えば飲食店の場合は料理の名前とその値段、マッサージ店の場合はマッサージの種類とその時間や値段、美理容室の場合はカットやシャンプーの料金等である。
而して本発明の場合、この種のサービス内容は、例えば印刷され、この印刷物７がプレート４の両側の表面に接着されたり、或いは接合部材３の面状部２がペアガラス状に２層構造に形成され、この２層構造の間に印刷物７が挟み込まれることにより表示される。
なお本発明の場合、背中合わせに固定される一対の接合部材３は、組み合わせ（交換）が容易になるよう、例えばネジ止めや嵌め付け等の手段で固定されるのが良い。
【０００７】
また本発明は、背中合わせに固定される一対の接合部材３の周縁部に挟み込まれる連結用部材１０を備え、この連結用部材１０を介して一対の接合部材３同士が連結自在に形成されているのが好ましい（請求項２）。
なぜならこの場合は、連結用部材１０を介して一対の接合部材３を複数連結することができるから、より多くのサービス内容を表示でき、使い勝手が良くなるからである。
【０００８】
またこの場合、本発明は、連結用部材１０が、一対の接合部材３の周縁部に嵌合する嵌合部１０ａを両側に備え、この嵌合部１０ａの間の連結部１０ｂが柔軟質に形成されているのが好ましい（請求項３）。
なぜならこれによると、一対の接合部材３の周縁部に嵌合させることができ、特別な固定手段を必要とすることなく連結できるからである。またこれによると、柔軟質の連結部１０ｂを介して折り重ねることができ、例えばテーブル上に、広いスペースをとることなく、コンパクトに保管、収納、載置できるからである。
【０００９】
また本発明は、接合部材３が方形状に形成され、四隅に固定用のネジ孔５が設けられているのが好ましい（請求項４）。
なぜならこれによると、サービス内容を印刷した方形の印刷物を、大きさを変形加工することなく、効率良く表示できるからである。またこの場合は、連結用部材１０で連結したとき、例えば屏風状に立てることができ、より使い勝手が良くなることからである。
【発明の効果】
【００１０】
本発明は、このように周囲が凸段差状の枠部に形成されると共に、この枠部で囲まれる箇所が透明の面状部に形成されて背中合わせに固定される複数種類の接合部材と、この接合部材の面状部にサービス内容を表示するため周囲が枠部に至って枠部と面状部に挟まれるサービス内容表示用のプレートとを備え、上記の接合部材が、面状部に仕切りが設けられている複数種類の仕切りタイプと、仕切りのない無仕切りタイプとに形成され、背中合わせに固定する接合部材の組み合わせが変更自在に形成されているものである。
従って本発明によれば、接合部材の組み合わせを色々変えることができるため、新しいサービス内容が増えてもその度にメニューを大幅に作り変えたり、増やしたりすることなく、コストを抑えた状態で、多種類のサービス内容を効率良く表示することができる。
【発明を実施するための最良の形態】
【００１１】
以下、本発明を実施するための最良の形態を説明する。
本発明は、図１等に示されるように、周囲が凸段差状の枠部１に形成されると共に、この枠部１で囲まれる箇所が透明の面状部２に形成されて背中合わせに固定される複数種類の接合部材３と、この接合部材３の面状部２にサービス内容を表示するため周囲が枠部１に至って枠部１と面状部２に挟まれるサービス内容表示用のプレート４とを備えて形成されている。
【００１２】
上記の接合部材３は、この実施形態では樹脂材で長方形状に形成され、四隅に固定用のネジ孔５が設けられている。この実施形態の本発明品は、このネジ孔５を介して、接合部材３がボルト６ａ、ナット６ｂ（図２参照）で固定されるよう形成されている。上記のプレート４は、図１Ｂに示されるように、その両面に、サービス内容がカラー印刷された印刷物７が貼り付けられている。
【００１３】
また接合部材３は、図１Ｃ〜Ｆに示されるように、面状部２に仕切り８が設けられている複数種類の仕切りタイプと、同図Ａに示されるような仕切り８のない無仕切りタイプとに分かれて形成されている。これにより本発明は、背中合わせに固定する接合部材３の組み合わせを変更できるものである。
【００１４】
而して本発明の場合、背中合わせに固定される一対の接合部材３は、図１Ａに示されるように、その周辺部に、断面Ｈ形の側部閉塞部材９が嵌合される。そしてユーザーが、一対の接合部材３同士を連結して使用する場合は、接合部材３の一辺の側部閉塞部材９を、図８〜図１１に示されるような連結用部材１０に変更する。
【００１５】
上記の連結用部材１０は、一対の接合部材３の周縁部に嵌合する嵌合部１０ａを両側に備え、この嵌合部１０ａの間の連結部１０ｂが柔軟質に形成されている。嵌合部１０ａは、図示されるように、縦断面がＨ形に形成されている。またこの実施形態では、連結部１０ｂに、平行一対状のＶ溝１０ｃが長手方向に延びて形成され、このＶ溝１０ｃを介して屈曲が一層容易になるよう形成されている。
【００１６】
而して本発明は、隣り合う一対の接合部材３同士が連結用部材１０で連結されると、図１１に示されるように、この連結用部材１０を介して一対の接合部材３同士を折り重ねたり、二つ折りすることができる。従ってこれによると、スペースを広く必要とすることなく、コンパクトに体裁良く配置して使用できる。
【００１７】
次に本発明の使用例を説明する。
ユーザーは、先ず、例えば仕切り８のない無仕切りタイプの接合部材３と、図１Ｃ〜Ｆに示されるような、仕切り８を有するタイプの接合部材３の何れかとを、面状部２でプレート４を挟み込んで背中合わせにネジ止めする。この場合、プレート４の一方の面には、無仕切りタイプの接合部材３の面状部２の大きさに合わせた印刷物７が、またプレート４の他方の面には仕切り８で区画された複数の区画に合わせた印刷物７が貼り付けられている。
【００１８】
なお本発明の場合、接合部材３同士の組み合わせは、上例には限定されず、例えば図１Ｃの接合部材３が表側に、同図Ｂの接合部材３が裏側に配置されたり、或いは仕切り８を有する同じタイプの接合部材３が表と裏に配置されるなど（例えば図１２〜図２０参照）、その組み合わせは自由である。なお本発明の場合、プレート４に貼り付けられる印刷物７は、例えば仕切り８で区分けされた各区画ごとに分けられて印刷されたり、或いは１枚のシートに各区画の位置に対応して複数のサービス内容が印刷されるものである。
【００１９】
而して一対の接合部材３でなる本発明品を連結して使用する場合は、図８に示されるような連結用部材１０を、図９、図１０に示されるように、嵌合部１０ａを接合部材３の周縁部に挟み込み、嵌合させる。この場合、一対の接合部材３は、図１１に示されるように、二つ折り状に折り重ねたり、折り畳むことができる。従ってこれによると、一対の接合部材３でなる本発明品を任意の個数増やしても、コンパクト化でき、例えばテーブル上に広いスペースを必要とすることなく載置できる。
【００２０】
以上の処において、本発明の場合、接合部材３を固定する手段は任意であり、上例のようなボルト６ａ、ナット６ｂには限定されない。また本発明の場合、連結用部材１０の使用は任意であり、連結用部材１０の構成自体も、上例のものに限定されるものではない。
【図面の簡単な説明】
【００２１】
【図１】本発明のメニューの好適な一実施形態を示し、Ａは正面図、ＢはＡのＢ−Ｂ線断面図、Ｃ〜Ｆは仕切りを有する接合部材の一例を示す夫々正面図である。
【図２】同上メニューの一部を切欠した要部分解斜視図である。
【図３】同上メニューの要部分解断面図である。
【図４】図１のＩＶ−ＩＶ線断面図である。
【図５】同上メニューの平面図である。
【図６】図１のＶＩ−ＶＩ線断面図である。
【図７】側部閉塞部材を示し、Ａは平面図、Ｂは斜視図、ＣはＢのＣ−Ｃ線断面図である。
【図８】連結用部材の斜視図である。
【図９】Ａは連結用部材の平面図、ＢはＡのＢ−Ｂ線断面図である。
【図１０】連結用部材の使用状態を示し、Ａは要部横断面図、Ｂは要部斜視図である。
【図１１】連結用部材の使用状態を示し、Ａは折り重ね時の要部縦断面図、Ｂは要部斜視図である。
【図１２】接合部材の一例を示す正面図である。
【図１３】図１２の接合部材で表裏が形成される本発明品を示し、Ａは要部分解図、Ｂは要部縦断面図である。
【図１４】図１２のＸＩＶ−ＸＩＶ線断面図である。
【図１５】接合部材の他の例を示す正面図である。
【図１６】図１５の接合部材で表裏が形成される本発明品を示し、Ａは要部分解図、Ｂは要部縦断面図である。
【図１７】図１５のＸＶＩＩ−ＸＶＩＩ線断面図である。
【図１８】接合部材の更に他の例を示す正面図である。
【図１９】図１８の接合部材で表裏が形成される本発明品を示す要部分解図である。
【図２０】図１８のＸＸ−ＸＸ線断面図である。
【符号の説明】
【００２２】
１      枠部
２      面状部
３      接合部材
４      プレート
８      仕切り
【図１】
2009080235.tif 000003
【図２】
2009080235.tif 000004
【図３】
2009080235.tif 000005
【図４】
2009080235.tif 000006
【図５】
2009080235.tif 000007
【図６】
2009080235.tif 000008
【図７】
2009080235.tif 000009
【図８】
2009080235.tif 000010
【図９】
2009080235.tif 000011
【図１０】
2009080235.tif 000012
【図１１】
2009080235.tif 000013
【図１２】
2009080235.tif 000014
【図１３】
2009080235.tif 000015
【図１４】
2009080235.tif 000016
【図１５】
2009080235.tif 000017
【図１６】
2009080235.tif 000018
【図１７】
2009080235.tif 000019
【図１８】
2009080235.tif 000020
【図１９】
2009080235.tif 000021
【図２０】
2009080235.tif 000022